(57)【要約】【課題】表示媒体への画像の表示及び消去を利便的かつ安全に行うことを目的とする。【解決手段】書換装置１４に電子ペーパー１２を載置すると共にＩＣカード１６を載置することで、電子ペーパー１２に情報を書き込み、この状態で、ＩＣカード１６を取り出した場合には、予め定めた条件が満たされるまでは、電子ペーパー１２に表示された画像を保持する。また、予め定めた条件が満たされるまでは、電子ペン１８によって手書き追記を可能とし、予め定めた消去条件が満たされた場合に、書換装置１４が電子ペーパー１２に表示された画像を消去する。【選択図】図２
2014006330.tif 000002
【特許請求の範囲】
【請求項１】
予め定めた識別情報が記憶されて、当該識別情報を送受信するためのアンテナを備えたカード、及び外部からの電力供給により画像を表示して、電力供給がなくなった状態でも表示した画像を保持する表示媒体のそれぞれの存在を検出する検出手段と、
前記表示媒体に電力供給する供給手段と、
前記検出手段によって前記カード及び前記表示手段のそれぞれの存在が検出された場合に、前記供給手段によって前記表示媒体に電力を供給して前記アンテナを介して取得した前記識別情報に応じた画像を表示するように前記表示媒体への画像の書き換えを制御すると共に、前記表示媒体に画像を表示した状態で、前記検出手段によって前記カードの存在が検出されなくなり、かつ前記表示媒体の画像を消去する予め定めた消去条件が成立した場合に、前記表示媒体に表示した画像を消去するように前記表示媒体への画像の書き換えを制御する画像書換手段と、
を備えた表示媒体書換装置。
【請求項２】
前記表示媒体への追記を検出する追記検出手段を更に備え、
前記画像書換手段が、前記表示媒体に画像を表示した状態で、前記追記検出手段によって前記表示媒体への追記が検出された場合に、当該追記に応じた画像を前記表示媒体に表示するように前記表示媒体への画像の書き換えを更に制御する請求項１に記載の表示媒体書換装置。
【請求項３】
前記画像書換手段は、前記表示媒体に画像を表示した状態で、前記検出手段によって前記カードの存在が検出されなくなってから、前記表示媒体の画像を消去する予め定めた消去条件が成立するまでは、前記追記に応じた画像を前記表示媒体に表示するように前記表示媒体への画像の書き換えを更に制御する請求項２に記載の表示媒体書換装置。
【請求項４】
前記表示媒体に表示した画像と前記追記に応じた画像とを合成して前記識別情報と関連づけて保存する合成保存手段を更に備えた請求項２又は請求項３に記載の表示媒体書換装置。
【請求項５】
前記表示媒体に表示した画像と前記追記に応じた画像とを前記識別情報と関連づけて保存する画像保存手段を更に備えた請求項２〜４の何れか１項に記載の表示媒体書換装置。
【請求項６】
前記画像書換手段は、前記消去条件として、画像の消去が指示された場合、予め定めた時間が経過した場合、予め定めた範囲外へ移動した場合、または予め定めた時間になった場合の何れかの条件が成立した場合に、前記表示媒体に表示した画像を消去するように前記表示媒体への画像の書き換えを制御する請求項１〜５の何れか１項に記載の表示媒体書換装置。
【請求項７】
前記供給手段が、複数の前記表示媒体が重ねて配置されている場合に、最上部に配置された前記表示媒体に対して電力を供給し、前記画像書換手段が、最上部に配置された前記表媒体への画像の書き換えを制御する請求項１〜６の何れか１項に記載の表示媒体書換装置。
【請求項８】
予め定めた識別情報が記憶されて、当該識別情報を送受信するためのアンテナを備えたカードと、
外部からの電力供給により画像を表示して、電力供給がなくなった状態でも表示した画像を保持する表示媒体と、
請求項１〜８の何れか１項に記載の表示媒体書換装置と、
を備えた表示装置。
【請求項９】
予め定めた識別情報が記憶されて、当該識別情報を送受信するためのアンテナを備えたカード、及び外部からの電力供給により画像を表示して、電力供給がなくなった状態でも表示した画像を保持する表示媒体のそれぞれの存在を検出する検出手段によって前記存在を検出する検出ステップと、
前記検出手段によって前記カード及び前記表示手段のそれぞれの存在が検出された場合に、前記表示媒体に電力を供給して前記アンテナを介して取得した前記識別情報に応じた画像を前記表示媒体に表示するように前記表示媒体への画像の書き換えを行うと共に、前記表示媒体に画像を表示した状態で、前記検出手段によって前記カードの存在が検出されなくなり、かつ前記表示媒体の画像を消去する予め定めた消去条件が成立した場合に、前記表示媒体に表示した画像を消去するように前記表示媒体への画像の書き換えを行う画像書換ステップと、
を有する表示媒体書換方法。
【請求項１０】
コンピュータを請求項１〜７の何れか１項に記載の表示媒体書換装置の画像書換手段として機能させるための表示書換プログラム。
【発明の詳細な説明】
【技術分野】
【０００１】
本発明は、表示媒体書換装置、表示装置、表示媒体書換方法、及び表示書換プログラムに関する
【背景技術】
【０００２】
近年、表示した画像を電力供給なしで保持可能な表示装置（所謂電子ペーパー）などが提案されている。
【０００３】
また、表示装置としては、様々な形態の表示装置が提案されており、例えば、特許文献１〜５に記載の技術が提案されている。
【０００４】
特許文献１に記載の技術では、変復調回路、制御ＣＰＵ、メモリ等の非接触ＩＣカードのＩＣカード共通機能を実現するＩＣカード共通回路部に加えて、低消費電力かつ電力
【０００５】
の供給が停止しても一定時間表示を継続できる表示素子を表示駆動回路を介して制御ＣＰＵに接続し、リーダライタ通過後、一定時間情報を表示素子に表示させることが提案されている。
【０００６】
特許文献２に記載の技術では、ＲＦＩＤタグとＲＦＩＤリーダとの間で遣り取りされる無線通信の通信波形を受信して、予め記憶された規格データと比較するＲＦＩＤデータモニタ装置において、適合する規格データを取得データとして取得し、取得した規格データを、ハードディスクに逐次記憶するとともに、液晶表示器に表示することが提案されている。
【０００７】
特許文献３に記載の技術では、無線カードと無線カード内容表示器を重ねてリーダ／ライタに窮すことで、リーダ／ライタと無線カード内容表示器の電磁結合状態と、リーダ／ライタと無線カードの電磁結合状態を同じ程度として動作させ、無線カードとリーダ／ライタの交信内容を傍受して、その最新データを取り込むで、最新データを無線電力を利用して無線カード内容表示器に表示することが提案されている。
【０００８】
特許文献４に記載の技術では、医療機関に設置され、患者に対して各自の医療データを表示するための医療情報システムおいて、医療データを記憶するデータ記憶装置と、このデータ記憶装置に記憶された医療データを表示する、持ち運び可能な携帯型のデータ表示装置とを備えた医療情報システムが提案されている。
【０００９】
特許文献５に記載の技術では、医療情報ＤＢを管理するサーバと、当該サーバとネットワークを介して接続する携帯端末と、を備えた医療業務支援システムにおいて、携帯端末が、動作モードとして、看護師による電子ペンを使用した手書き動作による情報の入力を受け付けて、受け付けた情報を載置した電子ペーパに表示する手書き入力モードと、受け付けた情報をサーバに送信し、サーバが、携帯端末から送信された情報に基づいて、医療情報ＤＢを更新するデータ送信モードと、を有する本体部と、電子ペンとを備えることが提案されている。
【先行技術文献】
【特許文献】
【００１０】
【特許文献１】特開２００４-０２１２８８号公報
【特許文献２】特許第４４０３１６１号公報
【特許文献３】特開２００２-０９２５６９号公報
【特許文献４】特開２００３-０９９５４１号公報
【特許文献５】特開２０１０-０１５２１１号公報
【発明の概要】
【発明が解決しようとする課題】
【００１１】
ところで、電子ペーパーは、表示した画像を電力供給なしで保持可能であるため、紙媒体と同様に取り扱うことができる。
【００１２】
そこで、特許文献４や特許文献５に記載の電子カルテとして電子ペーパーを使用したり、各種報告書として電子ペーパーを使用することも考えられる。
【００１３】
しかしながら、特許文献１〜５に記載の技術では、表示された画像を単純に消去してしまうことによる利便性の悪化についてはあまり考慮していないので、改善の余地がある。
【００１４】
本発明は、上記事実を考慮して成されたもので、表示媒体への画像の表示及び消去を利便的かつ安全に行うことを目的とする。
【課題を解決するための手段】
【００１５】
上記目的を達成するために請求項１に記載の表示媒体書換装置は、予め定めた識別情報が記憶されて、当該識別情報を送受信するためのアンテナを備えたカード、及び外部からの電力供給により画像を表示して、電力供給がなくなった状態でも表示した画像を保持する表示媒体のそれぞれの存在を検出する検出手段と、前記表示媒体に電力供給する供給手段と、前記検出手段によって前記カード及び前記表示手段のそれぞれの存在が検出された場合に、前記供給手段によって前記表示媒体に電力を供給して前記アンテナを介して取得した前記識別情報に応じた画像を表示するように前記表示媒体への画像の書き換えを制御すると共に、前記表示媒体に画像を表示した状態で、前記検出手段によって前記カードの存在が検出されなくなり、かつ前記表示媒体の画像を消去する予め定めた消去条件が成立した場合に、前記表示媒体に表示した画像を消去するように前記表示媒体への画像の書き換えを制御する画像書換手段と、を備えている。
【００１６】
請求項１に記載の表示媒体書換装置によれば、カードは、予め定めた識別情報（例えば、使用者を特定するためのＩＤ等）が記憶されて、当該識別情報を送受信するためのアンテナを備えており、表示媒体は、外部からの電力供給により画像を表示して、電力供給がなくなった状態でも表示した画像が保持される。そして、検出手段では、これらカード及び表示媒体のそれぞれの存在が検出される。
【００１７】
また、供給手段では、表示媒体に対して電力が供給される。これによって、表示媒体へ商事する画像の書き換えが可能となる。例えば、電磁誘導方式や、磁気共鳴方式、電解結合方式などの非接触の電力供給方法を適用するようにしてもよいし、接触方式の電力供給方法を適用するようにしてもよい。
【００１８】
そして、画像書換手段では、検出手段によってカード及び表示手段のそれぞれの存在が検出された場合に、供給手段によって表示媒体に電力を供給し、アンテナを介して取得した識別情報に応じた画像を表示するように表示媒体への画像の書き換えが制御される。これによって、表示媒体に画像を表示することができる。
【００１９】
さらに、画像書換手段では、表示媒体に画像を表示した状態で、検出手段によってカードの存在が検出されなくなり、かつ表示媒体の画像を消去する予め定めた消去条件が成立した場合に、表示媒体に表示した画像を消去するように表示媒体への画像の書き換えが制御される。すなわち、カードの存在が検出されなくなった場合に、表示媒体に表示した画像を直ぐに消去するのではなく、消去条件を満たすまでは表示され、その後、消去条件を満たしたところで表示媒体に表示した画像が消去されるので、カードの存在が検出されなくなって直ぐに表示媒体の画像が消去される場合よりも利便的に表示媒体を取り扱うことができる。また、消去条件が成立した場合には表示媒体の画像が消去されるので、情報漏洩などの安全性を確保することができる。従って、表示媒体への画像の表示及び消去を利便的かつ安全に行うことができる
【００２０】
なお、本発明は、請求項２に記載の発明のように、前記表示媒体への追記を検出する追記検出手段を更に備え、前記画像書換手段が、前記表示媒体に画像を表示した状態で、前記追記検出手段によって前記表示媒体への追記が検出された場合に、当該追記に応じた画像を前記表示媒体に表示するように前記表示媒体への画像の書き換えを更に制御するようにしてもよい。これによって追記した画像を表示することが可能となる。
【００２１】
追記に応じた画像を表示媒体に表示する形態の場合には、請求項３に記載の発明のように、前記画像書換手段は、前記表示媒体に画像を表示した状態で、前記検出手段によって前記カードの存在が検出されなくなってから、前記表示媒体の画像を消去する予め定めた消去条件が成立するまでは、前記追記に応じた画像を前記表示媒体に表示するように前記表示媒体への画像の書き換えを更に制御するようにしてもよい。これによって、カードの存在が検出されなくなってから消去条件が満たされるまでは、追記を行うことができる。
【００２２】
また、請求項４に記載の発明のように、前記表示媒体に表示した画像と前記追記に応じた画像とを合成して前記識別情報と関連づけて保存する合成保存手段を更に備えるようにしてもよいし、請求項５に記載の発明のように、前記表示媒体に表示した画像と前記追記に応じた画像とを前記識別情報と関連づけて保存する画像保存手段を更に備えるようにしてもよい。
【００２３】
また、請求項６に記載の発明のように、前記画像書換手段は、前記消去条件として、画像の消去が指示された場合、予め定めた時間が経過した場合、予め定めた範囲外へ移動した場合、または予め定めた時間になった場合の何れかの条件が成立した場合に、前記表示媒体に表示した画像を消去するように前記表示媒体への画像の書き換えを制御するようにしてもよい。
【００２４】
さらに、請求項７に記載の発明のように、前記供給手段は、複数の前記表示媒体が重ねて配置されている場合に、最上部に配置された前記表示媒体に対して電力を供給し、前記画像書換手段は、最上部に配置された前記表媒体への画像の書き換えを制御するようにしてもよい。
【００２５】
なお、本発明は、請求項８に記載の発明のように、予め定めた識別情報が記憶されて、当該識別情報を送受信するためのアンテナを備えたカードと、外部からの電力供給により画像を表示して、電力供給がなくなった状態でも表示した画像を保持する表示媒体と、上記表示媒体書換装置と、を備えた表示装置としてもよい。
【００２６】
一方、請求項９に記載の表示媒体書換方法は、予め定めた識別情報が記憶されて、当該識別情報を送受信するためのアンテナを備えたカード、及び外部からの電力供給により画像を表示して、電力供給がなくなった状態でも表示した画像を保持する表示媒体のそれぞれの存在を検出する検出手段によって前記存在を検出する検出ステップと、前記検出手段によって前記カード及び前記表示手段のそれぞれの存在が検出された場合に、前記表示媒体に電力を供給して前記アンテナを介して取得した前記識別情報に応じた画像を前記表示媒体に表示するように前記表示媒体への画像の書き換えを行うと共に、前記表示媒体に画像を表示した状態で、前記検出手段によって前記カードの存在が検出されなくなり、かつ前記表示媒体の画像を消去する予め定めた消去条件が成立した場合に、前記表示媒体に表示した画像を消去するように前記表示媒体への画像の書き換えを行う画像書換ステップと、を有している。
【００２７】
請求項９に記載の表示媒体書換方法によれば、カードは、予め定めた識別情報（例えば、使用者を特定するためのＩＤ等）が記憶されて、当該識別情報を送受信するためのアンテナを備えており、表示媒体は、外部からの電力供給により画像を表示して、電力供給がなくなった状態でも表示した画像が保持される。そして、検出ステップでは、これらカード及び表示媒体のそれぞれの存在を検出手段によって検出する。
【００２８】
また、画像書換ステップでは、検出手段によってカード及び表示手段のそれぞれの存在が検出された場合に、表示媒体に電力を供給してアンテナを介して取得した識別情報に応じた画像を表示媒体に表示するように表示媒体への画像の書き換えを行う。これによって、表示媒体に画像を表示することができる。
【００２９】
さらに、画像書換ステップでは、表示媒体に画像を表示した状態で、検出手段によってカードの存在が検出されなくなり、かつ表示媒体の画像を消去する予め定めた消去条件が成立した場合に、表示媒体に表示した画像を消去するように表示媒体への画像の書き換えを行う。すなわち、カードの存在が検出されなくなった場合に、表示媒体に表示した画像を直ぐに消去するのではなく、消去条件を満たすまでは表示され、その後、消去条件を満たしたところで表示媒体に表示した画像が消去されるので、カードの存在が検出されなくなって直ぐに表示媒体の画像が消去される場合よりも利便的に表示媒体を取り扱うことができる。また、消去条件が成立した場合には表示媒体の画像が消去されるので、情報漏洩などの安全性を確保することができる。従って、表示媒体への画像の表示及び消去を利便的かつ安全に行うことができる
【００３０】
なお、本発明は、請求項１０に記載の発明のように、コンピュータを上記表示媒体書換装置の画像書換手段として機能させるための表示書換プログラムとしてもよい。
【発明の効果】
【００３１】
以上説明した如く本発明では、表示媒体への画像の表示及び消去を利便的かつ安全に行うことができる、という優れた効果を有する。
【図面の簡単な説明】
【００３２】
【図１】本発明の実施の形態に係わる表示装置の一例を示す図である。
【図２】本発明の実施の形態に係わる表示装置の概略を説明するための図である。
【図３】本発明の実施の形態に係わる表示装置の構成を示すブロック図である。
【図４】本発明の実施の形態に係わる表示装置の書換装置で行われる処理の流れの一例を示すフローチャートである。
【図５】本発明の実施の形態に係わる表示装置の書換装置で行われる追記処理の流れの一例を示すフローチャートである。
【図６】電子ペーパーと書換装置の接触式の接続の一例を示す図である。
【発明を実施するための形態】
【００３３】
以下、図面を参照して本発明の実施の形態の一例を詳細に説明する。図１は、本発明の実施の形態に係わる表示装置の一例を示す図であり、図２は、本発明の実施の形態に係わる表示装置の概略を説明するための図である。
【００３４】
本発明の実施の形態に係わる表示装置１０は、図１（Ａ）、（Ｂ）に示すように、電子ペーパー１２、書換装置１４、及びＩＣ（集積回路）カード１６を備えている。
【００３５】
電子ペーパー１２は、電源供給がなくても表示を保持できるメモリー性表示媒体で構成されている。例えば、メモリ性表示媒体としては、例えば、電気泳動方式の表示媒体等を適用することができる。
【００３６】
書換装置１４は、予め定めた条件を満たした場合に、電子ペーパー１２に対して情報の書き込み及び消去を行う。すなわち、書換装置１４によって電子ペーパー１２への画像表示や画像消去が行われる。
【００３７】
ＩＣカード１６は、ユーザ情報等の使用者を識別するためのカードＩＤを予め記憶し、書換装置１４がＩＣカード１６からカードＩＤ等を取得して、ＩＣカード１６から取得したカードＩＤに基づいて、書換装置１４による電子ペーパー１２への情報の書き込み及び消去の許可が行われる。
【００３８】
本実施の形態に係わる表示装置１０は、図１（Ａ）に示すように、書換装置１４に電子ペーパー１２を載置すると共にＩＣカード１６を載置することで、書換装置１４がＩＣカード１６からカードＩＤを取得してユーザを認識する。そして、書換装置１４がユーザを認識した状態で、電子ペーパー１２の情報の書換が可能とされている。
【００３９】
また、本実施の形態に係わる表示装置１０は、図１（Ｂ）に示すように、書換装置１４に電子ペーパー１２及びＩＣカード１６が載置されて情報の書き換えが行われ、電子ペーパー１２のみを取り出すことにより、電子ペーパー１２に書き込まれた情報が表示されたまま電子ペーパー１２を携帯することが可能とされている。
【００４０】
一方、書換装置１４に電子ペーパー１２を載置すると共にＩＣカード１６を載置することで、電子ペーパー１２に情報が書き込まれた状態で、図２（Ａ）に示すように、ＩＣカード１６を取り出した場合には、予め定めた条件が満たされるまでは、図２（Ｂ）に示すように、電子ペーパー１２に表示された画像が保持される。また、予め定めた条件が満たされるまでは、図２（Ｃ）に示すように、電子ペン１８によって手書き追記が可能とされ、予め定めた消去条件が満たされた場合に、図２（Ｄ）に示すように、書換装置１４が電子ペーパー１２に表示された画像を消去するようになっている。予め定めた消去条件としては、例えば、消去ボタン等の操作などによるユーザによる消去指示が行われた場合、タイマー等による予め設定された時間が経過した場合、書換装置１４に位置検出手段（例えば、ＧＰＳ（Global Positioning System）や３Ｇ（第3世代移動通信システム）のような公衆回線基地局アクセスポイント、WiFi（wireless fidelity）やBuetoothのような近距離通信アクセスポイントを検出する機構等）を設けて書換装置１４と電子ペーパー１２が予め定めた範囲外に移動した場合、または予め定めた予定時間となった場合等を適用することができる。
【００４１】
ここで、本発明の実施の形態に係わる表示装置１０の詳細な構成について説明する。図３は、本発明の実施の形態に係わる表示装置１０の構成を示すブロック図である。
【００４２】
書換装置１４は、バッテリ２０を備えており、書換装置１４の各部へ電力を供給する電源部２２に電力が供給されるようになっており、電源部２２が、データ制御部２４、表示制御部２６、外部通信部２８、及び追記軌跡検出部３０のそれぞれに対してバッテリ２０から供給される電力を供給する。また、電力アンテナ３６によって非接触で書換装置１４から電子ペーパー１２に電力供給を行うようになっている。
【００４３】
データ制御部２４は、外部通信部２８、表示制御部２６、及びデータアンテナ３２にそれぞれ接続されており、各部を制御すると共に、ＩＣカード１６のＩＤ情報（カードＩＤ）や電子ペーパー１２のＩＤ情報（電子ペーパーＩＤ）等に基づいて、電子ペーパー１２への画像の書き換えを制御する。具体的には、データ制御部２４は、カードＩＤ及び電子ペーパーＩＤを検出した場合に、カードＩＤに対応する画像を電子ペーパー１２に表示するように表示制御部２６を制御し、この状態でカードＩＤが検出されなくなり、かつ予め定めた消去条件が成立した場合に、電子ペーパー１２に表示した画像を消去するように表示制御部２６を制御する。
【００４４】
また、外部通信部２８は、外部のデータサーバ３４等と無線通信が可能とされ、データサーバ３４から電子ペーパー１２に表示するための画像情報を取得し、表示制御部２６は、データアンテナ３２を介して電子ペーパー１２へ画像情報を送信することにより、電子ペーパー１２への画像の書き込み及び消去を制御する。すなわち、データ制御部２４は、表示制御部２６及びデータアンテナ３２を制御して、外部通信部２８によって取得した画像情報に基づく画像を電子ペーパー１２に表示するように制御する。本実施の形態では、カードＩＤに対応する画像情報をデータサーバ３４から取得して電子ペーパー１２に表示する。
【００４５】
また、追記軌跡検出部３０は、電子ペン１８（図２参照）によって電子ペーパー１２上に追記操作が行われた場合に、電子ペン１８の軌跡を検出し、検出結果をデータ制御部２４へ送信する。これにより、データ制御部２４では、表示制御部２６を制御して電子ペーパー１２へ追記が表す追記画像を表示する。なお、電子ペン１８による追記操作の検出は、例えば、電磁誘導方式によって電子ペン１８の軌跡を検出することができる。
【００４６】
また、電子ペンによって追記された追記画像は、電子ペーパー１２に表示された元画像に合成した合成画像としてデータサーバ３４に元画像に対応するカードＩＤと関連づけて保存するようにしてもよいし、追記画像を別レイヤとして元画像に対応するカードＩＤと関連づけてデータサーバ３４に保存するようにしてもよいし、合成画像、元画像、及び追記画像をそれぞれカードＩＤに関連づけてデータサーバ３４に保存するようにしてもよい。
【００４７】
一方、電子ペーパー１２は、書換装置１４に載置することにより、書換装置１４の電力アンテナ３６から供給される電力を受電アンテナで受電し、受電した電力を電源として駆動される。書換装置１４の電力アンテナ３６と、電子ペーパー１２の受電アンテナ間の電力供給方式は、例えば、電磁誘導方式、磁気共鳴方式、または電界結合方式の何れかを適用することができる。
【００４８】
また、書換装置１４のデータアンテナ３２から送信される画像情報は、データ通信部４０によって受信し、電子ペーパー１２に設けられた図示しない電極に、画像を表示するための電圧を印加する電圧印加部へ出力される。
【００４９】
電圧印加部４２では、書換装置１４から受信した画像情報に基づいて、各画素に対応する図示しない電極に電圧を印加するように制御することにより、電子ペーパー１２に画像を表示するようになっている。
【００５０】
また、ＩＣカード１６は、アンテナ４４及びＩＣチップ４６を備えており、ＩＣチップ４６には、ユーザを特定するためのＩＤ情報等が記憶されており、データアンテナ３２とアンテナ４４間で無線通信することにより、ＩＣチップ４６に記憶された情報を書換装置１４に送信する。ＩＣカード１６のアンテナ４４と書換装置１４のデータアンテナ３２間の無線通信は、例えば、１３．５６ＭＨｚ帯を使用するようにしてもよいし、４．４８ＧＨｚ帯を使用するようにしてもよい。
【００５１】
続いて、上述のように構成された本発明の実施の形態に係わる表示装置１０の書換装置１４で行われる具体的な処理の流れについて説明する。図４は、本発明の実施の形態に係わる表示装置１０の書換装置１４で行われる処理の流れの一例を示すフローチャートである。
【００５２】
ステップ１００では、ＩＣカードを検出したか否か判定される。該判定は、データアンテナ３２によってＩＣカード１６のアンテナ４４と通信確立したか否か等を判定し、該判定が肯定された場合にはステップ１０２へ移行し、判定が否定された場合には処理を終了する。
【００５３】
ステップ１０２では、電子ペーパー１２が検出されたか否かが判定される。が判定は、データアンテナ３２によって電子ペーパー１２のデータ通信部４０と通信確立したか否か等を判定し、該判定が肯定された場合にはステップ１０４へ移行し、否定された場合には処理を終了する。
【００５４】
ＩＣカード１６及び電子ペーパー１２が検出されるとステップ１０４では、電子ペーパー１２が既に表示中か否か判定される。該判定は、後段の処理が既に行われて書換装置１４によって電子ペーパー１２への画像の書き込みが行われ、カードＩＤ及び電子ペーパーＩＤが保存されているか否かを判定し、該判定が否定された場合にはステップ１０６へ移行し、肯定された場合にはステップ１１６へ移行する。
【００５５】
ステップ１０６では、ＩＣカード１６のカードＩＤが取得されてステップ１０８へ移行する。すなわち、アンテナ４４及びデータアンテナ３２を介してＩＣチップ４６に記憶されたカードＩＤがデータ制御部２４によって取得される。
【００５６】
ステップ１０８では、表示情報が取得されてステップ１１０へ移行する。本実施の形態では、データ制御部２４が、カードＩＤに対応する表示情報をデータサーバ３４から外部通信部２８を介して取得する。
【００５７】
ステップ１１０では、電子ペーパーＩＤが電子ペーパー１２から取得されてステップ１２へ移行する。すなわち、データ通信部４０及びデータアンテナ３２を介してデータ通信部４０等に予め記憶された電子ペーパーＩＤがデータ制御部２４によって取得される。
【００５８】
ステップ１１２では、電子ペーパー１２への表示が行われてステップ１１４へ移行する。すなわち、ステップ１０８で受信した表示情報を表示制御部２６が電子ペーパー１２へ送信することにより、電圧印加部４２が表示情報に基づく電圧を印加することにより、電子ペーパー１２への表示が行われる。
【００５９】
ステップ１１４では、表示履歴が保存されてステップ１１８へ移行する。表示履歴は、例えば、カードＩＤ、電子ペーパーＩＤ、及び表示情報を対応して記憶することにより、誰がどの電子ペーパー１２にどのような表示を行ったかを履歴として記憶する。なお、カードＩＤと電子ペーパーＩＤのみを履歴として記憶するようにしてもよい。
【００６０】
一方、ステップ１１６では、既に電子ペーパー１２への表示が行われている状態で書換装置１４に再び載置された状態であるので、保存したＩＤ（カードＩＤ及び電子ペーパーＩＤ）を読み出してステップ１１８へ移行する。
【００６１】
ステップ１１８では、電子ペーパー１２に対して追記が行われたか否かが判定される。該判定は、書換装置１４に電子ペーパー１２及びＩＣカード１６が共に載置された状態で、電子ペン１８等によって追記操作が行われたか否かを判定し、該判定が肯定された場合にはステップ１２０へ移行し、否定された場合にはステップ１２２へ移行する。
【００６２】
ステップ１２０では、追記処理が行われてステップ１２２へ移行する。ここで、追記処理について詳細に説明する。図５は、本発明の実施の形態に係わる表示装置の書換装置で行われる追記処理の流れの一例を示すフローチャートである。
【００６３】
まず、追記処理へ移行すると、ステップ２００では、座標データがあるか否か判定される。該判定は、追記軌跡検出部３０によって電子ペン１８を検出し、その座標データがあるか否かを判定し、該判定が否定された場合には処理を終了し、肯定された場合にはステップ２０２へ移行する。
【００６４】
ステップ２０２では、異座標データがあるか否か判定される。すなわち、追記軌跡検出部３０によって座標データが検出された後に、電子ペン１８が移動されて異座標データが検出されたか否かを判定し、該判定が否定された場合にはステップ２０４へ移行し、肯定された場合にはステップ２０６へ移行する。
【００６５】
ステップ２０４では、点画表示が行われてステップ２１０へ移行する。すなわち、座標データに対応する位置に点画を表示するように、表示制御部２６が電子ペーパー１２への表示を制御することにより、追記による画像が表示される。
【００６６】
一方、ステップ２０６では、線画表示が行われてステップ２０８へ移行する。すなわち、電子ペン１８の軌跡に対応する位置に線画を表示するように、表示制御部２６が電子ペーパー１２への表示を制御することにより、追記による画像が表示される。
【００６７】
ステップ２０８では、異座標データがあるか否か再び判定される。すなわち、更に線画が継続しているか否かを判定し、該判定が肯定された場合にはステップ２０６へ移行して、対応する線画を表示するように、表示制御部２６が電子ペーパー１２への表示を制御し、判定が否定された場合にはステップ２１０へ移行する。
【００６８】
ステップ２１０では、表示履歴がデータサーバ３４に保存されてステップ２１２へ移行する。
【００６９】
ステップ２１２では、カードＩＤがデータサーバ３４に保存されて一連の追記処理を終了する。なお、カードＩＤに関連づけて表示履歴を保存する。保存する追記画像は、上述したように、電子ペーパー１２に表示された元画像に合成した合成画像としてデータサーバ３４に元画像に対応するカードＩＤと関連づけて保存するようにしてもよいし、追記画像を別レイヤとして元画像に対応するカードＩＤと関連づけてデータサーバ３４に保存するようにしてもよいし、合成画像、元画像、及び追記画像をそれぞれカードＩＤに関連づけてデータサーバ３４に保存するようにしてもよい。
【００７０】
一方、追記処理を終了するとステップ１２２では、ＩＣカードが検出されているか否か判定され、該判定が肯定された場合にはステップ１２４へ移行し、否定された場合にはステップ１２９へ移行する。
【００７１】
ステップ１２４では、電子ペーパー１２が検出されているか否か判定され、該判定が肯定された場合にはステップ１１８へ戻って上述の処理が繰り返され、否定された場合にはステップ１２６へ移行する。
【００７２】
ステップ１２６では、カードＩＤがデータ制御部２４に保存されてステップ１２８へ移行して、電子ペーパーＩＤが保存されて処理を終了する。すなわち、書換装置１４から電子ペーパー１２のみが取り出された場合には、電子ペーパー１２に画像が表示された状態が維持され、ユーザによって携帯される。そして、再び画像の書き換えや消去を行う場合には、書換装置１４に電子ペーパー１２を載置することにより、上述のステップ１０４が肯定されてカードＩＤ及び電子ペーパーＩＤが読み出される。
【００７３】
また、ステップ１２９では、電子ペーパー１２が検出されているか否か判定され、該判定が否定された場合には上述のステップ１２６へ移行する。すなわち、ＩＣカード１６と電子ペーパー１２が同時に抜き取られた場合には、上述の電子ペーパー１２のみが取り出された場合と同様に、電子ペーパー１２に画像が表示された状態が維持され、ユーザによって携帯される。そして、再び画像の書き換えや消去を行う場合には、書換装置１４に電子ペーパー１２を載置することにより、上述のステップ１０４が肯定されてカードＩＤ及び電子ペーパーＩＤが読み出される。
【００７４】
一方、ステップ１２９の判定が肯定された場合にはステップ１３０へ移行して、ステップ１３０では、電子ペーパー１２に対して追記が行われたか否かが判定される。該判定は、ＩＣカード１６が書換装置１４から取り出されてから、電子ペン１８等によって追記操作が行われたか否かを判定し、該判定が肯定された場合にはステップ１３２へ移行し、否定された場合にはステップ１３４へ移行する。
【００７５】
ステップ１３２では、上述の追記処理が行われてステップ１３４へ移行する。なお、追記処理は、上述したように図５のフローチャートに従って行われる。
【００７６】
ステップ１３４では、予め定めた表示消去条件が成立したか否か判定される。該判定は、例えば、ユーザによる消去指示が行われたか否か、予め設定された時間経過したか否か、書換装置１４と電子ペーパー１２が予め定めた範囲外に移動したか否か、或いは予め定めた予定時間となったか否かを判定し、該判定が否定された場合にはステップ１２２へ戻って上述の処理が繰り返され、判定が肯定された場合にはステップ１３６へ移行する。
【００７７】
ステップ１３６では、電子ペーパー１２の表示が消去されてステップ１３８へ移行する。すなわち、表示制御部２６が電子ペーパー１２へ消去するための情報を送信することにより、電圧印加部４２が当該情報に基づく電圧を印加することにより、電子ペーパー１２への表示が消去される。
【００７８】
ステップ１３８では、カードＩＤが消去されてステップ１４０へ移行して、電子ペーパーＩＤが消去され、一連の処理を終了する。
【００７９】
このように、本実施の形態では、ＩＣカードが検出されなくなって直ぐに電子ペーパー１２の表示を消去するのではなく、予め定めた消去条件が成立した場合に消去するので、電子ペーパー１２に表示された画像が消去されるまでに追記などを行うことが可能であり、利便的な取り扱いができる。
【００８０】
また、ＩＣカード１６が検出されなくなって消去条件が成立した場合には、電子ペーパー１２に表示された画像が消去されるので、情報の漏洩に対する安全性を確保することができる。このとき、ＩＣカード１６が検出されなくなってから消去条件が満たされるまでは電子ペーパー１２に表示された画像が保持されるので、直ぐに消去される場合よりも利便的に電子ペーパー１２を取り扱うことができる。
【００８１】
従って、本実施の形態に係わる表示装置１０では、電子ペーパー１２への画像の表示及び消去を利便的かつ安全に行うことができる。
【００８２】
なお、上記の実施の形態では、書換装置１４と電子ペーパー１２との間を非接触で接続して電力供給及びデータ通信を行う例を説明したが、これに限るものではなく、図６（Ａ）の矢印で示すように、書換装置１４と電子ペーパー１２とを接触によって電気的に接続して、電力供給及びデータ通信を行うようにしてもよい。図６（Ａ）の例では、複数枚の電子ペーパー１２を書換装置１４に載置して、最上部の電子ペーパー１２と接触して電力供給及びデータ通信を行う例を示す。これを実現するためには、例えば、図６（Ｂ）に示すように、電子ペーパー１２と書換装置１６とを電気的に接続する端子５０を支持する支持部５２を設けて、支持部５２に対して端子５０を移動可能かつ図６矢印方向にバネ等の付勢手段によって付勢するように構成し、複数の電子ペーパー１２を端子５０と書換装置１４間に挟むように載置することで、最上部の電子ペーパー１２と端子５０が接触して、電力供給及びデータ通信が可能となる例を示す。
【００８３】
また、上記の実施の形態における各フローチャートで示した処理は、プログラムとして各種記憶媒体に記憶して流通するようにしてもよい。
【符号の説明】
【００８４】
１０    表示装置
１２    電子ペーパー
１４    書換装置
１６    ＩＣカード
１８    電子ペン
２２    電源部
２４    データ制御部
２６    表示制御部
３０    追記軌跡検出部
３２    データアンテナ
３６    電力アンテナ
３８    受電アンテナ
４０    データ通信部
４２    電圧印加部
４４    アンテナ
４６    ＩＣチップ
【図１】
2014006330.tif 000003
【図２】
2014006330.tif 000004
【図３】
2014006330.tif 000005
【図４】
2014006330.tif 000006
【図５】
2014006330.tif 000007
【図６】
2014006330.tif 000008